(57)【要約】【課題】トラック等の貨物自動車に使用されるフレキシブル電気配線であって、強度が高く、振動に耐え、更に砕石の衝突等に耐える丈夫な電気配線を課題とする。【解決手段】本発明は、引張り力に対して強度がある非金属素材と、その周囲に配置された電気伝導性が高い複数の金属性線材と、からなる少なくとも１本の伝導体で構成したフレキシブル電気配線であって、引張り力に対して強度がある非金属素材（３）を、多数のアラミド繊維（４）を弱く結合した束で構成し、そのアラミド繊維の断面積は１本の金属線材（２）の断面積と等しくし、そして、この伝導体（１）を絶縁材（５）で周包してるフレキシブル電気配線である。
2005510010.tif 000002
【特許請求の範囲】
【請求項１】
引張り力に対して強度がある非金属素材と、その周囲に配置された電気伝導性が高い複数の金属性線材と、からなる少なくとも１本の伝導体で構成されたフレキシブル電気配線であって、
前記引張り力に対して強度がある非金属素材（３）が、多数のアラミド繊維（４）の弱く結合した束で構成され、その断面積は１本の金属性線材（２）の断面積と等しく、そして、前記伝導体（１）は絶縁材（５）で周包されていることを特徴とするフレキシブル電気配線。  
【請求項２】
前記アラミド繊維（４）は、湿気を防止するため樹脂又はワックスで被覆されていることを特徴とする請求項１記載のフレキシブル電気配線。  
【請求項３】
前記線材（２）が、銅からなることを特徴とする請求項１又は２記載のフレキシブル電気配線。
【発明の詳細な説明】
【技術分野】
【０００１】
本発明は、フレキシブル電気配線に関する。
【背景技術】
【０００２】
この種の配線は少なくとも１本の電気伝導体であって、強度が高い非金属素材とその素材のまわりに配置された金属性の電気伝導材からなる線材とから構成される（ＤＥ−ＯＳ２５１９６８７）。このような伝導体は例えば貨物自動車に利用されている。この配線は十分に曲げることが可能でしかも強度が十分高く、更に高い機械的な荷重に耐えることが要求されている。
【０００３】
このような特性は、その大量生産のため、更なる加工あるいは特にその使用中においても必要とされる。この伝導体は車両において継続的に振動とそしてまた飛散する石の打撃にさらされる。ＥＰ１０８９２９９Ａ２公報は強度の高い伝導体を開示している。この伝導体においては、電気伝導性の高い材料が、中心に配置されている強度の高い線材のまわりに巻かれている。
【０００４】
電気的に伝導性の高い線材に関しては、共通の絶縁材がその外側に巻かれている。この強度の高い線材は、多くの互いに巻きつけられた強度の高い適切な材料からなる繊維で構成されており、その繊維は金属性のマトリックスの中に埋め込まれている。このマトリックスは、繊維間の空間を十分充填し、そしてその周りを取り囲んでいる。
【０００５】
このような強度の高い線材の製造費は高いばかりでなく、相対的に堅く、また直径方向に緩むことがない。この点は、クリンプ接合によって接触端子と接合される場合には問題を生ずる。このような伝導体はその他に曲げに対して制限があり、また繰り返し曲げに対する耐久性が低くなっている。
【０００６】
最初に述べたＤＥ−ＯＳ２５１９６８７号公報においては、ガラス繊維のより線からなる繊維の周りに多数の銅線を配置した伝導体を開示している。このような繊維はより合わされていることによって相対的に剛直であり、また半径方向においては緩むことがない。従って同じような問題は、ＥＰ１０８９２９９Ａ２において開示されている伝導体と同様な問題がある。
【特許文献１】ＤＥ−ＯＳ２５１９６８７号
【特許文献２】ＥＰ１０８９２９９Ａ２
【発明の開示】
【発明が解決しようとする課題】
【０００７】
そこで本発明は、上記伝導体の問題を解決し、曲げ性、引張り強度、接続性及び繰り返し曲げに対する強度について何らの制限のないような伝導体を目的とする。
【課題を解決するための手段】
【０００８】
上記課題は以下の発明によって解決される。強度の高い素材としてアラミド繊維を多数緩く束ねたものとし、その断面積を１本の金属線材の断面積と同等にすること、及びその伝導体を絶縁体によって周包する、ことによって解決される。
【発明の効果】
【０００９】
このような伝導体は、フレキシビリティが高く強度も高い。更に、繰り返し曲げ強度も高い。この理由は、この強度の高い素材が半径方向に軽く変形することができ、またフレキシビリティが極めて高いからである。この強度の高い素材は、そのためクリンプ接合による接触端子の接続に際して要求される伝導体の変形を阻害することがない。伝導体の個々の線材はクリンプ接合において蜂の巣状に形成されるべきである。
【００１０】
このような伝導体もしくはその導体は、長期的に作用するクリンプ接合に要求されている規定を満足することができる。にもかかわらず、配線の接合と敷設において要求される強度を保証する。
【００１１】
アラミド繊維からなる素材は発生する引張り強度に耐えることができるため、多数の線材からなる導体の各々の伝導断面積を電気的に必要な程度まで減少することができる。このような有利な導体の構造は１６０℃から−７０℃程度までの広い温度範囲において適用される。更にアラミドは溶解することもなく、また燃焼することもないので、短時間に発生する３００℃以上の高い温度においてもほとんど問題はない。
【００１２】
この導体は特別な利点があるため、強い振動に長期的にさらされる場合、例えば車両用における同様な場合においても、利用することができる。
【発明を実施するための最良の形態】
【００１３】
図１及び図２に示す電気伝導体Ｌは、伝導体１であって、金属性の線材２の多数から構成され、この線材は電気的に良好な伝導材、及び強度の高い素材３から構成されている。線材２は望ましくは銅の線材である。強度の高い素材３は、非常に薄く強度の高いアラミド繊維の緩く結合した束である。
【００１４】
適切な材料としては、ケルバという商品名において良く知られている材料がある。この緩いアラミド繊維の束は半径方向に柔らかく、また伸張し、素材３を著しくフレキシブルなものとしている。導体１の外側には絶縁体５が被覆されている。例えば、この絶縁体はポリウレタンから構成されている。
【００１５】
導体１は金属性の線材２の多数から構成され、素材３の断面は全体として線材２の断面積に対応し、導体１としてまとめられている。束ねる方法はそれ自体どのようにも行うことができる。望ましい方法としては、より線にすること、束ねることなどによって行うことができる。
【００１６】
導体１は製造方法にもよるが、例えば円形の断面とし、その後絶縁体５を例えば押し出し工法により被覆することができる。導体１は例えば全断面積は０．５ｍｍ２である。この導体は例えば６１本の線材から構成し、その各々の直径は０．１ｍｍである。
【００１７】
アラミド繊維４から構成される素材３は０．１ｍｍの直径とすることができる。強度の高い素材４のアラミド繊維は望ましくは導体１に進入してくる湿気を防止するために湿気を排除する材料で被覆することができる。そのような材料としては例えば樹脂、またはワックスが利用できる。
【００１８】
本発明による導体Ｌは実施例においては、１つの絶縁された導体１とすることができる。しかしながら、この導体は２またはそれ以上の導体とすることができ、目的によっては互いにより合わせ、またはポリウレタンからなるガイトで１つにまとめることもできる。
【産業上の利用可能性】
【００１９】
本発明によるこのような伝導体は、フレキシビリティが高く強度も高い。更に、繰り返し曲げ強度も高いフレキシブル電気配線を提供できる。この配線は、クリンプ接合による接触端子の接続に際して要求される伝導体の変形を阻害することがない。
【００２０】
アラミド繊維からなる素材は発生する引っ張り強度に耐えることができるため、多数の線材からなる導体の各々の伝導断面積を電気的に必要な程度まで減少することができる。このような有利な導体の構造は１６０℃から−７０℃程度までの広い温度範囲において適用される。更にアラミドは溶解することもなくまた燃焼することもないので、短時間に発生する３００℃以上の高い温度においてもほとんど問題はない。
【００２１】
この導体は特別な利点があるため、強い振動に長期的にさらされる車両用配線として利用することができる。
【図面の簡単な説明】
【００２２】
【図１】図１は、本発明に係る絶縁材を備えた配線の側面図である。
【図２】図２は、図１に示した配線の拡大した断面図である。
【符号の説明】
【００２３】
１  配線又は伝導体
２  金属線
３  強度がある素材
４  アラミド繊維
５  絶縁材
【図１】
2005510010.tif 000003
【図２】
2005510010.tif 000004
【国際調査報告】
2005510010.tif 000005
2005510010.tif 000006
2005510010.tif 000007
2005510010.tif 000008